(57)【要約】      （修正有）【課題】帯を簡単に締めることができると共に、着物などの生地を傷めないようにする帯を提供する。【解決手段】帯本体２の裏面に設けられたホック部４と、前記帯本体２の一端側に設けられ前記帯本体が折り返されることで前記ホック部４に係合される被ホック部６と、前記帯本体２の他端側に設けられ前記帯本体２が折り返された折り返し部１３ａを止着する止着部と、を有する。【選択図】図１
0003186481.tif 000002
【実用新案登録請求の範囲】
【請求項１】
帯本体の裏面に設けられたホック部と、
前記帯本体の一端側に設けられ前記帯本体が折り返されることで前記ホック部に係合される被ホック部と、
前記帯本体の他端側に設けられ前記帯本体が折り返された折り返し部を止着する止着部と、を有することを特徴とする帯。
【請求項２】
前記止着部は、前記帯本体の他端側に着脱自在に設けられていることを特徴とする請求項１に記載の帯。
【考案の詳細な説明】
【技術分野】
【０００１】
本考案は、着物や浴衣の帯に係るものである。例えば祭り用ハッピの帯としても用いることができる。
【背景技術】
【０００２】
周知のように、着物などを着用する際には帯が用いられる。一般的に、帯は結び目を作って締めるものであるが、緩み易いという問題があった。例えば祭りのように大勢の人と群れて接触すると、結び目が緩んできて帯が簡単に解けてしまう。また、子供などは自分で帯を結び直すのが難しいこともあった。さらに、伝統的な祭りによっては帯を独特な結び目で締めることが粋とされており、このような結び目を作って締めることは、子供は勿論のこと、大人でも慣れないと難しかった。そのために、特許文献１では簡単に締めることができる帯が開示されている。特許文献１に開示された帯は、帯本体の裏面すなわち帯を締めたときの体表面側にマジックテープ（登録商標）が固定され、着用者自身の腰回りの寸法に応じて帯本体を折り返し、マジックテープ同士を互いに着接させることで、帯本体の長手寸法を調整することができる。
【先行技術文献】
【特許文献】
【０００３】
【特許文献１】実用新案登録第３１７５２３１号公報
【考案の概要】
【考案が解決しようとする課題】
【０００４】
しかしながら、特許文献１の帯は、体表面側にマジックテープが固定されているために、帯を締めたときに、マジックテープが着物と接触してしまい、着物の生地を傷めてしまうという問題がある。
【０００５】
本考案は上述したようなことに鑑みてなされたものであり、帯を簡単に締めることができると共に、着物などの生地を傷めないようにすることを目的とする。
【課題を解決するための手段】
【０００６】
本考案に係る帯は、帯本体の裏面に設けられたホック部と、前記帯本体の一端側に設けられ前記帯本体が折り返されることで前記ホック部に係合される被ホック部と、前記帯本体の他端側に設けられ前記帯本体が折り返された折り返し部を止着する止着部と、を有することを特徴とする。
また、前記止着部は、前記帯本体の他端側に着脱自在に設けられていることを特徴とする。
【考案の効果】
【０００７】
本考案によれば、帯を簡単に締めることができると共に、着物などの生地が傷むことを防止することができる。
【図面の簡単な説明】
【０００８】
【図１】図１は、本考案の帯の構成を示す斜視図である。
【図２】図２は、本考案の帯の他端側に取り付けられる止着部の構成を示す斜視図である。
【図３】図３は、本考案の止着部を帯に取り付けた状態を示す斜視図である。
【考案を実施するための形態】
【０００９】
以下、本考案の実施形態について、図面を参照して詳細に説明する。
図１は、本実施形態の帯１の構成を示す斜視図である。帯１は、長尺状の帯本体２を有している。帯本体２は、例えば綿素材等により形成されている。以下では、帯１のうち長手方向の一方の端側を一端側１ａとし、他方の端側を他端側１ｂとする。本実施形態の帯本体２は、長手方向の中央側が第１の帯体２ａおよび第２の帯体２ｂによって重なり合って構成されている。具体的には、第１の帯体２ａおよび第２の帯体２ｂが、それぞれ下縁同士および上縁同士で長手方向に沿って縫い合わされている。
【００１０】
図１に示すように、本実施形態の帯１は、意図的に第１の帯体２ａおよび第２の帯体２ｂの上縁同士を縫い合わせない非縫合部を形成する。非縫合部では第１の帯体２ａの上縁と第２の帯体２ｂの上縁との間を開口させることができる。したがって、この非縫合部には、開口から第１の帯体２ａと第２の帯体２ｂとの間に小物を収容することができる収容部３が形成される。図１に示す帯１の例では、収容部３は帯１の中央側の２カ所に形成されているが、必要に応じて収容部３の数を増減させたり収容部３を形成する位置を変更したりしてもよい。
【００１１】
帯本体２の裏面（帯１を締めたときの体表面側）であって帯本体２の中央側には、長手方向に沿って間隔をあけてホック部４が設けられている。ホック部４は、いわゆるメス型のホックであり、中央が凹状に形成されている。ホック部４は、テープ状の台紙５に固着され、帯本体２の裏面に台紙５を縫い込むことにより固定される。なお、ホック部４は、縫い込みや接着などにより直接、帯本体２の裏面に固定してもよい。本実施形態では、隣り合うホック部４同士が所定の間隔Ｐで形成されている。
【００１２】
一方、帯本体２の一端側１ａには、長手方向に沿って間隔をあけてホック部４に係合する被ホック部６が設けられている。被ホック部６は、いわゆる雄型のホックであり、中央が凸状に形成されている。被ホック部６は、帯本体２の一端に固定されたテープ状の台紙７上に固着されている。なお、被ホック部６は、縫い込みや接着などにより直接、帯本体２の一端側１ａの裏面に固定してもよい。本実施形態では、隣り合う被ホック部６同士が所定の間隔Ｐ／２で形成されている。
【００１３】
着用者は、自身の腰回りの寸法に応じて、帯本体２の一端側１ａを折り返し、ホック部４と被ホック部６とを係合させることで、帯本体２の長手寸法を調整することができる。
ここで、ホック部４同士の間隔Ｐは、被ホック部６同士の間隔Ｐ／２に対して２倍で形成されている。したがって、先端から一つ目の被ホック部６を任意のホック部４に係合した場合には、先端から二つ目および四つ目の被ホック部６は被ホック部６に係合されず、三つ目の被ホック部６が、上述した任意のホック部４に隣接するホック部４に係合される。また、先端から二つ目の被ホック部６を任意のホック部４に係合させた場合には、先端から一つ目の被ホック部６および三つ目の被ホック部６が、ホック部４に係合されず、四つ目の被ホック部６が、上述した任意のホック部４に隣接するホック部４に係合される。
すなわち、一つのホック部４に対して何れかの被ホック部６を選択して係合させることで、帯本体２の長手寸法の調整を間隔Ｐ／２ごとに行うことができる。したがって、ホック部４の数を増加させることなく、帯本体２の長手寸法の調整を細かく行うことできる。
【００１４】
帯本体２の他端側１ｂには、結び目８が予め固定されている。すなわち、本実施形態の帯１は、着物を着用した後に帯を締めて結び目をつくるのではなく、予め所定の結び目８が帯本体２の共布を折り曲げて作成され、帯本体２の他端側１ｂの先端に固定されている。なお、結び目８の形状は限定されず、どのような形状であってもよい。
【００１５】
図２は、帯本体２の他端側１ｂに取り付けられる止着部９の構成を示す斜視図である。
帯本体２の他端側１ｂには、止着部９が結び目８によって被覆された状態で取り付けられている。止着部９は、帯本体２の一端側１ａが折り返すことで形成される折り返し部１３ａと止着される。
本実施形態の止着部９は、細長状の金属により形成され、複数ヵ所で折り曲げられた形状を有している。止着部９は、帯本体２の幅よりも長く形成された止着直線部９ａ、止着直線部９ａの上端が折り曲げられた鉤部９ｂ、止着直線部９ａの下端から折り曲げられ鉛直状に延びる第１取付直線部９ｃ、第１取付直線部９ｃの上端から斜めに延びる取付傾斜部９ｄ、取付傾斜部９ｄの上端から折り曲げられ鉛直状に延びる第２取付直線部９ｅ、第２取付直線部９ｅから第１取付直線部９ｃに延びる第３取付直線部９ｆを有している。第３取付直線部９ｆと第１取付直線部９ｃは例えば溶接によって結合されており、止着部９全体の剛性を高めている。
【００１６】
止着部９のうち、止着直線部９ａおよび鉤部９ｂは、帯本体２の一端側１ａに止着される止着部本体として機能する。また、止着部９のうち、第１取付直線部９ｃ、取付傾斜部９ｄ、第２取付直線部９ｅおよび第３取付直線部９ｆは、止着部９を帯本体２の他端側１ｂに着脱自在に取り付ける取付け部として機能する。
【００１７】
次に、止着部９を帯本体２の他端側１ｂに着脱自在に取り付ける場合について説明する。帯本体２の他端側１ｂには所定の長さで帯本体２に重ね合わされる重ね合わせ部１０が形成されている。重ね合せ部１０のうち、帯本体２と対向する面には保持部１１が設けられている。保持部１１は、いわゆるオス型ホックであり、中央が凸状に形成されている。保持部１１は、折り返し部１０に直接、固定されている。本実施形態の保持部１１は、重ね合わせ部１０の略中央に一つ配置され、重ね合わせ部１０の先端側の上下に二つ配置されている。
【００１８】
一方、重ね合わせ部１０に対向する帯本体２の裏面には被保持部１２が設けられている。被保持部１２は、いわゆるメス型ホックであり、中央が凹状に形成されている。被保持部１２は、帯本体２の裏面に直接、固定されている。本実施形態の被保持部１２は、重ね合わせ部１０が帯本体２に重ね合された状態において上述した保持部１１に対面する位置に配置されている。したがって、保持部１１と被保持部１２とを係合させることで重ね合わせ部１０と帯本体２とを重ね合わせた状態に保持することができる。また、重ね合わせ部１０と帯本体２とを重ね合わせることで生じる折り返し部１３ｂの上縁に、傾斜部１４が形成されている。傾斜部１４は、重ね合わせ部１０の一部と帯本体２の一部とを斜めに切断などすることで形成される。
【００１９】
止着部９を帯本体２に取り付ける場合、保持部１１と被保持部１２とを係合させていない状態で折り返し部１３ｂの下側から止着部９を挿入する。具体的には、第１取付直線部９ｃ、取付傾斜部９ｄ、第２取付直線部９ｅおよび第３取付直線部９ｆを重ね合わせ部１０と帯本体２との間に挿入し、止着直線部９ａおよび鉤部９ｂは折り返し部１３ｂの外側に位置させるように挿入する。止着直線部９ａと第１取付直線部９ｃとを繋ぐ接続部分が、折り返し部１３ｂの下端に接触するまで止着部９を挿入する。この後、保持部１１と被保持部１２とをそれぞれ係合することで、止着部９が帯本体２の他端側１ｂに取り付けられる。なお、帯本体２の他端側１ｂの表面（帯１を締めたときの外観面側）には、結び目８を縫い合わせたり接着したりすることで固定する。
【００２０】
図３は、止着部９を帯本体２の他端側１ｂに取り付けた状態を示す斜視図である。なお、ここでは、理解を容易にするために、結び目８を省略して図示している。
図３に示すように、止着部９のうち、第１取付直線部９ｃ、取付傾斜部９ｄ、第２取付直線部９ｅおよび第３取付直線部９ｆにより形成される矩形内には、重ね合せ部１０の略中央の保持部１１と被保持部１２とが位置している。したがって、保持部１１と被保持部１２とを係合させた状態では、止着部９は帯本体２の他端側１ｂに保持され、脱落することが防止される。一方、止着部９のうち、止着直線部９ａおよび鉤部９ｂは露出された状態であり、鉤部９ｂが傾斜部１４のほぼ上側に位置している。
【００２１】
次に、上述したように構成される帯１を用いて、帯１を締める手順について説明する。まず、上述したように、着用者は、自身の腰回りの寸法に応じて、帯本体２の一端側１ａを折り返し、ホック部４と被ホック部６とを係合させることで、帯本体２の長手寸法を調整する。このとき、図３に示すように、帯本体２には、一端側１ａを折り返すことにより折り返し部１３ａが形成される。
【００２２】
次に、着用者は、調整した帯本体２を腰にあてがい、帯本体２の一端側１ａの折り返し部１３ａと他端側１ｂとを自身の前方に位置させる。次に、図３に示すように、帯本体２の一端側１ａの折り返し部１３ａ内に止着部９の鉤部９ｂおよび止着直線部９ａが挿通されるように、帯本体２の一端側１ａを上方から差し込む。このとき、帯本体２の他端側１ｂの上縁には、傾斜部１４が形成されているので、鉤部９ｂと傾斜部１４との間に折り返し部１３ａをスムーズに差し込むことができる。折り返し部１３ａを止着部９の止着直線部９ａの下端まで差し込むことで、折り返し部１３ａの上端を止着部９の鉤部９ｂ内に位置させることができる。このように折り返し部１３ａ内に止着部９の止着直線部９ａが差し込まれることで帯本体２の一端側１ａと他端側１ｂとが止着部９を介して止着され、帯１を締める作業が終了する。
【００２３】
このように、本実施形態によれば、着用者は自身の腰回りの寸法に応じて帯本体２の長手寸法を調整した後、帯本体２の一端側１ａの折り返し部１３ａを止着部９に差し込むだけで帯本体の一端側１ａと他端側１ｂとを止着部９を介して止着することができるので、帯１を簡単に締めることができる。
また、本実施形態の帯本体２の裏側には、マジックテープではなくホック部４を設けたために帯１を締めることで着物の生地が傷むことを防止することができる。また、本実施形態では、ホック部４として凹状のメス型ホックを用いているために着物の生地が傷むことをより防止することができる。
【００２４】
また、本実施形態では、帯本体２の他端側１ｂには止着部９を着脱自在に設けたので、必要に応じて取り付けたり、取り外したりすることができる。例えば、帯１を洗濯機を用いて洗濯しようとする場合には、帯本体２から止着部９を取り外すことで、他の衣服を傷つけることなく洗濯することができる。
【００２５】
以上、本考案の実施形態について、図面を参照して詳細に説明したが、本考案は上述した実施形態に限定されるものではない。本考案は、その趣旨を逸脱しない範囲において、種々の改変が可能である。
例えば、上述した実施形態では、止着部９の一部を重ね合せ部１０と帯本体２との間に挿入し、保持部１１と被保持部１２とを係合することにより、止着部９を帯本体２に取り付ける場合について説明したが、この場合に限られない。止着部９は、帯本体２との間で着脱自在であればどのような構造であってよい。
【００２６】
また、例えば、上述した実施形態では、予め結び目８が帯本体２の他端側１ｂに固定されている場合について説明したが、この場合に限られず、結び目８が帯本体２の長手方向に沿って移動できるように構成してもよい。
また、収容部３には、収容した小物が収容部３の開口から飛び出して落下してしまうことを防止する構造を有していてもよい。例えば、収容部３内の第１の帯体２ａおよび第２の帯体２ｂの対向面にそれぞれホックを取り付け、ホック同士を係合することにより収容部３の開口を閉塞させてもよい。
【符号の説明】
【００２７】
１：帯  ２：帯本体  ２ａ：第１の帯体  ２ｂ：第２の帯体  ３：収容部  ４：ホック部  ６：被ホック部  ９：止着部  ８：結び目
【図１】
0003186481.tif 000003
【図２】
0003186481.tif 000004
【図３】
0003186481.tif 000005